(57)【要約】【課題】より低コストで折丁と別丁とを固定する製本装置を提供する。【解決手段】別丁が付された折丁を、折丁の表紙側と裏表紙側からプレスすることにより、別丁を折丁に仮止めするプレス歯を備える。【選択図】図６
2015027763.tif 000002
【特許請求の範囲】
【請求項１】
別丁が付された折丁を、該折丁の表紙側と裏表紙側からプレスすることにより、前記別丁を前記折丁に仮止めするプレス歯を備えたことを特徴とする、製本装置。
【請求項２】
前記プレス歯は、鋸歯形状であることを特徴とする、請求項１に記載の製本装置。
【請求項３】
前記プレス歯は、該プレス歯の長手方向に分割された少なくとも１つ以上のサブプレス歯からなることを特徴とする、請求項１または請求項２に記載の製本装置。
【請求項４】
一方のプレス歯に対向し、他方のプレス歯に隣接する領域には、前記他方のプレス歯との高さ調整をするための高さ調整部が設けられることを特徴とする、請求項３に記載の製本装置。
【発明の詳細な説明】
【技術分野】
【０００１】
本発明は、製本の過程において折丁と別丁とを固定する製本装置に関する。
【背景技術】
【０００２】
書籍などの製本において、内容が印刷された刷本を１冊の本となるようにページ順に並べた折丁に対して、口絵や見返しなどの別丁を入れる工程が知られている。この工程は、折丁に対して所定の位置に別丁を固定するものであり、別丁が固定された折丁は、例えば無線綴機によって背に接着剤が塗布され表紙と貼り付けられる。従来、このような別丁の固定は、見返し貼り機などによって、ホットメルトやコールドグルーなどの接着剤を、折丁のノド部分に塗布し、そこに別丁を固定してプレスすることでなされていた。
【０００３】
また、関連する技術として、折丁に対して糊を付与した添付物を重ね合わせて押圧して貼り込むことにより、製本ライン中で添付物を貼り込む技術が知られている（例えば、特許文献１参照）。
【先行技術文献】
【特許文献】
【０００４】
【特許文献１】特開２００８−３０４８８号公報
【発明の概要】
【発明が解決しようとする課題】
【０００５】
しかしながら、折丁と別丁とは、表紙と貼り付けられるまでの間だけ仮止めとして固定されていれば良いものであり、最終的には別丁が固定された折丁は接着剤で表紙と貼り付けられるため、仮止めのために接着剤を使うことで、２重に接着剤を塗布しなければならず、余計なコストが生じていた。
【０００６】
本発明は上述した問題点を解決するためになされたものであり、より低コストで折丁と別丁とを固定する製本装置を提供することを目的とする。
【課題を解決するための手段】
【０００７】
上述した課題を解決するため、本発明の一態様は、別丁が付された折丁を、該折丁の表紙側と裏表紙側からプレスすることにより、前記別丁を前記折丁に仮止めするプレス歯を備える。
【発明の効果】
【０００８】
本発明によれば、より低コストで折丁と別丁とを固定することができる。
【図面の簡単な説明】
【０００９】
【図１】本実施の形態に係る製本ラインの構成を示すブロック図である。
【図２】搬送路の構成を示す図である。
【図３】プレス機の構成を示す図である。
【図４】搬送ガイドの構成を示す図である。
【図５】プレス部の構成を示す斜視図である。
【図６】プレス部の構成を示す平面図である。
【図７】搬送板、搬送ガイド、押さえ及びプレス部の位置関係を示す模式図である。
【図８】二丁本を示す模式図である。
【図９】プレス部の他の構成を示す平面図である。
【図１０】プレス部の他の構成を示す平面図である。
【発明を実施するための形態】
【００１０】
以下、本発明の実施の形態について図面を参照しつつ説明する。
【００１１】
まず、本実施の形態に係る製本ラインについて説明する。図１は、本実施の形態に係る製本ラインの構成を示すブロック図である。
【００１２】
図１に示すように、本実施の形態に係る製本ラインは、丁合機１、フィーダ２、プレス機３、無線綴機４を備える。丁合機１は、１冊の本となるように、印刷された用紙をページ順に重ねる丁合作業を自動的に行う装置である。また、フィーダ２は、丁合機１とは紙質やサイズが異なる口絵や見返しなどを別丁として供給する装置である。また、プレス機３は、フィーダ２により供給された別丁を折丁と重ねてプレスすることにより、折丁の所定の位置に別丁を固定して仮止めするものである。また、無線綴機４は、別丁が固定された折丁に表紙を接着する装置である。なお、本実施の形態において、丁合機１、フィーダ２、無線綴機４については、一般的に用いられているものとし、その詳細な説明を省略する。また、本実施の形態において、例えば、口絵、見返し、または袋に入れられたＣＤなどの添付物のような、折丁とは紙質、サイズ、素材などが異なるものを総称して、別丁と呼称する。
【００１３】
次に、折丁にプレス機上を通過させるための搬送路について説明する。図２は、搬送路の構成を示す図である。
【００１４】
図２に示すように、搬送路は、搬送部６３に搬送される本文９０がプレス機３の所定の経路を通過するように、搬送板６０、搬送ガイド６１、押さえ６２により構成される。この所定の経路については後述する。
【００１５】
搬送部６３は、所定の動力源により、製本ラインの上流から下流へと動作する押さえであり、搬送方向に対して直交して水平方向に伸びるツノにより、フィーダ２により供給された別丁９０２と折丁９０１とを所定の位置関係に維持して下流方向へ搬送する。なお、本実施の形態において、折丁９０１と別丁９０２とを合わせて、便宜上、本文９０とする。この本文９０は、背を下に向け、天地方向に搬送されるものとする。
【００１６】
また、搬送板６０は、搬送方向と直交する方向に所定幅を持ち、搬送方向に沿ってプレス機３の設置面から所定の高さに設けられた板であり、本文９０を所定の垂直位置にガイドする。また、搬送ガイド６１は、搬送方向に沿って設置され、本文９０を所定の水平位置にガイドする。また、押さえ６２は、本文９０を上部から押えることにより、プレス機３によるプレスにより生じる本文９０の垂直方向のずれを低減する。なお、プレス機３、搬送板６０、搬送ガイド６１、押さえ６２、及び本文９０の位置関係については後述する。
【００１７】
次に、プレス機の構成について説明する。図３は、プレス機の構成を示す図である。
【００１８】
図３に示すように、プレス機３は、筐体３０、プレス部３１、駆動部３２、調節部３３を備える。プレス部３１は、本文９０の搬送方向に対して直交する水平方向に開く、それぞれにプレス歯が備え付けられた２つの口金により構成され、これらの口金が閉方向に駆動されることにより、本文９０の表紙側と裏表紙側から折丁９０１に別丁９０２をプレスするものである。また、駆動部３２は、プレス機３の外部、具体的には筐体３０の片側側面の動力源から、プーリ３２１及び３２２、ベルト３２３及び３２４により、筐体３０内部の駆動機構３４を介して動力を伝達して、プレス部３１を開方向または閉方向に駆動する。また、調節部３３は、本文９０の表紙側から裏表紙側までの厚さに応じて、閉状態のプレス部３１の間隔、具体的には、閉じ切った状態の２つの口金間の距離を手動により調節するハンドルである。
【００１９】
次に、搬送ガイドの構成について説明する。図４は、搬送ガイドの構成を示す図である。
【００２０】
図４に示すように、搬送ガイド６１は、水平方向にそれぞれ位置が異なり、搬送板６０に直交する２つの搬送ガイド板６１１と、搬送ガイド板６１１を支持する支持部６１２と、搬送板６０に直交し、搬送ガイド板６１１の垂直下部に位置する２つの搬送ガイド板６１３を備える。支持部６１２は、図示しない取付台に取り付けられ、支持部６１２の取り付け位置によって、２つの搬送ガイド板６１１間の距離、垂直位置が調整される。２つの搬送ガイド板６１１間の距離は本文９０の厚さに応じて調整され、垂直位置は少なくとも押さえ６２とプレス部３１との間に位置するように調整される。なお、２つの搬送ガイド板６１３の距離は２つの搬送ガイド板６１１間の距離と同様に調整されるものとする。また、搬送板６０や押さえ６２についても、搬送ガイド６１と同様に、図示しない取付台に取り付けられるものとする。
【００２１】
次に、プレス部の構成について説明する。図５は、プレス部の構成を示す斜視図である。また、図６は、プレス部の構成を示す平面図である。
【００２２】
図５及び図６に示すように、プレス部３１は、２つの口金３１０により構成され、口金３１０のそれぞれは、それぞれ、プレス歯３１１、これを取り付ける取付部３１２、動力を伝達する機構に口金３１０を取り付ける取付部３１３を備える。なお、図５に示すように、プレス歯３１１は、口金３１０の先端下部の凹みに取り付けられる。また、図６に示すように、プレス歯３１１は、搬送方向において、口金３１０に対して半分の長さを持ち、１つの口金３１０につき、２つのプレス歯３１１が取り付けられるものとする。つまり、プレス歯３１１は、口金の長手方向に、即ちプレス方向に直交する方向に分割して取り付けられる。
【００２３】
また、プレス歯３１１は、特に図６に示すように、鋭角が搬送方向に複数並んだ鋸歯形状であり、プレス部３１は、本文９０をプレスすることで、プレス歯３１１が折丁９０１の一部と別丁９０２を貫き、貫かれた別丁９０２を折丁９０１に食い込ませ、この食い込みにより別丁９０２を折丁９０１に固定して仮止めする。なお、このプレス３１１は、本実施の形態においては、鋸歯形状としたが、プレス歯３１１により貫かれた別丁９０２が折丁９０１に食い込むような形状であればいかなる形状であっても良い。
【００２４】
次に、搬送板、搬送ガイド、押さえ及びプレス部の位置関係と、プレス機による別丁の固定方法について説明する。図７は、搬送板、搬送ガイド、押さえ及びプレス部の位置関係を示す模式図である。
【００２５】
図７は、プレス機３を搬送路の下流方向から見た断面を簡略化した模式図である。この図７によれば、搬送板６０はプレス部３１の下に位置し、押さえ６２は搬送ガイド６１における搬送ガイド版６１１と搬送ガイド板６１３との間に位置する。また、搬送ガイド板６１３は、プレス部３１の上に位置する。プレス部３１は、プレス機３外部の動力源から動力を伝達される駆動機構３４に取り付けられ、矢印方向に動作する。この矢印方向は、搬送方向に直交する水平方向である開方向及び閉方向であり、ここで閉方向は本文９０側の方向、開方向はその反対方向である。
【００２６】
プレス歯３１１は、プレス部３１が閉方向に動作した場合、調節部３３により調節された位置まで移動する。この調節された位置は、上述したように、本文９０の厚さに応じて決められる位置であり、また、プレス歯３１１が別丁９０２を貫き、折丁９０１の一部に食い込むような位置である。このようにプレス部３１が閉じた場合、別丁９０２が折丁９０１に食い込む。食い込ませる位置は、本文９０の背近傍にあるノド以下の位置、具体的には、本文９０の背から垂直方向に所定の距離以下にある位置が望ましい。また、別丁９０２が折丁９０１に食い込む際、本文９０は、搬送板６０や搬送ガイド６１によって搬送方向にガイドされるために、移動方向を制限され、水平方向や下方向に動かないように固定されている。さらに、プレス部３１が閉じたタイミングで本文９０が上方向に移動するのを防ぐために、押さえ６２により本文９０を上から押え付ける。
【００２７】
上述したように、本実施の形態に係るプレス機によれば、別丁を折丁の所定位置に食い込ませることにより、固定して仮止めするため、仮止めの際に接着剤を必要とせず、折丁と別丁との固定に掛かるコストを低減することができる。また、接着剤を使わずに仮止めを行うことにより、例えば、仮止めのための折丁と別丁の接着位置から接着剤がはみ出してしまうような、接着剤を用いることによって生じるトラブルを防ぐことができる。
【００２８】
また、プレス歯の取り付け方を変えることによって、２丁製本のように、複数冊分が面付けされた折丁に対しても、接着剤を使わずに仮止めを行うことができる。以下、２丁付けされた折丁に対する仮止めについて説明する。図８は、２丁付けされた折丁を示す図である。また、図９は、２丁付けされた折丁に対するプレス歯の取り付け方の例を示す図である。また、図１０は、２丁付けされた折丁に対するプレス歯の取り付け方の他の例を示す図である。
【００２９】
図８に示すように、２丁付けされた折丁（以降、２丁本９１と呼称する）は、天地方向の中央を切断位置として、２冊分の丁合がなされた折丁９１１と、それぞれ片側のみに供給された別丁９１２とを含む。なお、本実施の形態において、折丁９１１は、製本工程の都合上、２冊分の印刷が互いに天地逆に印刷されるものとし、その結果、別丁９１２は折丁９１１に対して互いに逆側に配置されるものとする。ここで、搬送方向の下流側の別丁を別丁９１２ａとし、上流側の別丁を別丁９１２ｂとする。
【００３０】
このような２丁本９１に対しては、別丁９１２が配置されている箇所のみを仮止めすれば良いため、２丁本９１の天地方向中央がプレス部３１の搬送方向中央に来るように２丁本９１を搬送した上で、図９に示すように、両側のプレス歯３１１を片方ずつ取り付けるだけで良い。具体的には、プレス部３１の下流側においては、搬送された２丁本９１における別丁９１２ａ側のみにプレス歯３１１を取り付け、上流側においては、別丁９１２ｂ側のみにプレス歯３１１を取り付ける。プレス歯３１１は、仮止めを行う毎に磨耗するため、消耗されるものであるが、２丁本９１のように別丁が配置されるものに対しては、このように固定箇所に対応する部分だけプレス歯３１１を取り付けることによって、プレス歯３１１の消耗に掛かるコストを低減することができる。
【００３１】
また、図１０に示すように、プレス歯３１１を取り付けない部分に、キャップ３１４を取り付けても良い。このキャップ３１４は、口金３１０に対して、隣接するプレス歯３１１との高さを調節するために、プレス方向に突出させた板金である。なお、突出させる長さは、口金３０１に対してプレス歯３１１が突出する長さに依存するものとする。このようなキャップ３１４を取り付けることによって、プレス歯３１１を互い違いに取り付けること、または、別丁９１２を互い違いに配置することによって生じる、２丁本９１のねじれを要因とするトラブルを低減することができる。
【００３２】
本発明は、その要旨または主要な特徴から逸脱することなく、他の様々な形で実施することができる。そのため、前述の実施の形態は、あらゆる点で単なる例示に過ぎず、限定的に解釈してはならない。本発明の範囲は、特許請求の範囲によって示すものであって、明細書本文には、何ら拘束されない。更に、特許請求の範囲の均等範囲に属する全ての変形、様々な改良、代替および改質は、全て本発明の範囲内のものである。
【符号の説明】
【００３３】
１  丁合機
２  フィーダ
３  プレス機
４  無線綴機
３０  筐体
３１  プレス部
３２  駆動部
３３  調節部
３１０  口金
３１１  プレス歯
３１２  取付部
３１３  取付部
３２１，３２２  プーリ
３２３，３２４  ベルト
６０  搬送板
６１  搬送ガイド
６２  押さえ
６３  搬送部
６１１  搬送ガイド板
６１２  支持部
６１３  搬送ガイド板
９０  本文
９０１  折丁
９０２  別丁
９１  ２丁本
９１１  折丁
９１２ａ  別丁
９１２ｂ  別丁
【図１】
2015027763.tif 000003
【図２】
2015027763.tif 000004
【図３】
2015027763.tif 000005
【図４】
2015027763.tif 000006
【図５】
2015027763.tif 000007
【図６】
2015027763.tif 000008
【図７】
2015027763.tif 000009
【図８】
2015027763.tif 000010
【図９】
2015027763.tif 000011
【図１０】
2015027763.tif 000012